(57)【要約】  【課題】  いかなる場所ないしいかなる環境ないし身体的特徴に応じて冷房・暖房を切り替えることができ、ピンポイントで身体の場所を冷房・暖房することができ、かつ温度調整も可能な身体用小型空調機。  【解決手段】  身体に直接もしくはシャツ等の着衣の上から間接的に触れたペルチェ素子とペルチェ素子に接続された電源からの電力をペルチェ素子に供給するコントローラーを備え、前期ペルチェ素子に直流電圧を印加することによるペルチェ効果により身体の所定部位をピンポイントで冷却または暖房する。【選択図】図１
2010019433.tif 000002
【特許請求の範囲】
【請求項１】
身体に直接もしくはシャツ等の着衣の上から間接的に触れたペルチェ素子とペルチェ素子に接続された電源からの電力をペルチェ素子に供給するコントローラーを備え、前記ペルチェ素子に直流電圧を印加することによるペルチェ効果により身体の所定部位をピンポイントで冷却または暖房することを特徴とするペルチェ素子を用いた身体用小型空調機。
【請求項２】
前記コントローラーはペルチェ素子の温度を制御する温度制御手段を備えたことを特徴とする請求項１に記載のペルチェ素子を用いた身体用小型空調機。
【請求項３】
請求項１と請求項２に記載の身体用小型空調機は電池や二次電池や燃料電池などの化学電池または物理電池で駆動する事を特徴とする身体用小型空調機。
【請求項４】
請求項１から３の身体用空調機を身体の所定の位置にピンポイントで動かすことができる吊りベルト。
【請求項５】
請求項１から３に記載の身体用空調機をペット動物の移動用または居住用として使用する事を特徴とする小型空調機。
【発明の詳細な説明】
【発明の属する技術分野】
【０００１】
本発明は、熱電半導体であるペルチェ素子を用いた装・脱着可能な身体用小型空調機に関するものである。
【０００２】
また、ペット動物の移動用または居住用として使用可能な小型空調機に関するものである。
【従来の技術】
【０００３】
従来、熱により身体に負担のかかる環境下で利用される冷却機能を有する冷房服がある。
この冷房服は、胸部、腹部、首周りに設けられた保冷材用ポケットに保冷剤を収納し、人間の身体をクールダウンさせるものなどがある。一方、冷凍・冷蔵室内等や冬季の野外等
の環境下で使用される防寒具として、ジャケットやコートあるいは抵抗発熱を利用した電気ジャケットなどが知られている。また暖房器具として使い捨て懐炉などもある。（以上非特許文献１参照）
それと被服地に埋没されたペルチェ素子を用いて、冷房。暖房することができる冷房服がある。（特許文献１）
【０００４】
【非特許文献１】“クールスーツ”〔online〕、未来研究所ＡＮＺＥＮ  ＭＡＬＬ〔平成１５年２月１０日〕、インターネット＜URL http//www.anzen.ne.jp/scoolsuit.html＞.
【０００５】
【特許文献１】特開２００４−２６３３２号  公報
【０００６】
しかし、上述した従来の冷房服や暖房器具・暖房服には以下のような問題点があった。
（１）保冷材等を使用する冷房服は、時間の経過と共に、保冷材が溶けてその冷却能力が
低下し、長時間の使用には耐えられず、また、着用するごとに保冷材を取り替え、これを
また冷凍保存しておくなど手間がかかり煩雑である。
（２）使い捨て懐炉は、金属粉末の酸化反応の終了とともに発熱効果もなくなるため、その使用可能期間はせいぜい１日と非常に短い。
（３）抵抗発熱を利用した電気ジャケットなどの暖房服は、その暖房効果を十分に発揮させる程度に抵抗発熱体を暖房服に埋め込む必要があり、暖房服の重量増加を招く。
（４）通常の場合、暖房能力を高めようとすると断熱のための保温層を厚くする必要が生じるため、着用すると動きづらく作業性が悪い。
（５）保温能力は保温層の厚さに依存するため、環境に応じて適切な温度調整をすることは困難である。
（６）（１）〜（５）を解決するためにペルチェ素子を被服地に複数埋没された冷暖房服があるが、ペルチェ素子が固定されているので自分の好きな場所を冷やしたり暖めたりできない。
【０００７】
本発明は、上述した問題点を解決するために身体の任意の場所に対して、冷房・暖房を切り替えることが出来、温度調節も可能な身体用小型空調機を提供することを目的とする。
【発明の開示】
【発明が解決しようとする課題】
【０００８】
本発明は身体に直接もしくはシャツ等の着衣の上から間接的に触れたペルチェ素子とペルチェ素子に接続された電源からの電力をペルチェ素子に供給するコントローラーを備え、
前記ペルチェ素子に直流電圧を印加することによるペルチェ効果により身体の所定部位を冷却または暖房することを特徴とするペルチェ素子を用いた身体用小型空調機を提供する。
【０００９】
また好ましくは、前記コントローラーはペルチェ素子の温度を制御する温度調節機能を有する。
【００１０】
温度制御手段により前記冷暖房手段の温度を自由に設定し、使用者の好みや体質に応じ
て適切な温度調整をすることができる。
【００１１】
温度制御手段により前記冷暖房手段の温度を冷・暖を交互に一定時間毎に切り替えることで基礎代謝を上昇させることができる。
【００１２】
小型空調機を吊りベルトを使うことによってピンポイントで身体の好みの位置に動かすことができる。
【００１３】
また本発明は、ペット動物の移動用または居住用として使用することを特徴とする小型空調機を提供する。
【発明の効果】
【００１４】
図１は本発明の第１実施形態を説明する図であり、図１に示すように本発明の身体用小型空調機はペルチェ素子（１）を備えている。そして前記身体用小型空調機を吊りバンド
（３）を用いて身体の任意の場所を冷やしたり暖めたりする。  
【００１５】
図２は本発明の身体用小型空調機の第１形態に使用するペルチェ素子の構造を示すものである。
【００１６】
図１において身体用小型空調機のペルチェ素子（１）には図３に示すようなコントローラー
（２）が接続されており、このコントローラーはペルチェ素子に通電する装置であり、電源のON/OFFを行スイッチ（７）と電流方向の切り替えを行う切り替えスイッチ（８）と
ペルチェ素子（１）を温度調整を行う温度調整手段（９）と、一定時間毎に電流方向の切り替えを行いその繰り返し回数を制御するプログラム（１０）による制御手段とを有する。
またコントローラーには電源（１１）が接続されペルチェ素子への通電や温度制御手段に必要な電力を供給している。
【発明を実施するための最良の形態】
【００１７】
以上説明したように、本発明は以下の点に優れた効果を有する。
（１）場所ないし環境ないし身体的特徴に応じて、冷房・暖房を切り替えることができ、従来は冷房・暖房ができなかったケースでも冷房・暖房ができるようになる。
（２）温度制御手段により冷暖房手段の温度を自由に設定し、使用者の好みや体質に応じて適切な温度調整をすることができる。
(３)吊りバンドにより使用者の好みや体質に応じて任意の場所をピンポイントで冷やし
たり暖めたりすることができる。
（４）かつ脂肪細胞を一定時間毎に交互に冷やしたり暖めたりすることで基礎代謝が上昇する。
【図面の簡単な説明】
【００１８】
【図１】本発明の第１実施形態の全体構成図である。
【図２】本発明の第１実施形態のペルチェ素子の構造図である。
【図３】本発明に使用するコントローラーの概念図である。
【符号の説明】
【００１９】
１  ペルチェ素子
２  コントローラー
３  Ｐ型半導体
４  Ｎ型半導体
５  金属電極
６  絶縁基板
７  電源スイッチ
８  切替スイッチ
９  温度制御手段
10  プログラム制御手段
11  電源
12  吊りベルト
【図１】
2010019433.tif 000003
【図２】
2010019433.tif 000004
【図３】
2010019433.tif 000005